(57)【要約】【課題】踏段の注意体の色を容易に変更することができるとともに、コストの低減を図ることができる乗客コンベヤを得る。【解決手段】主枠１には、循環移動される複数の踏段８が支持されている。各踏段８は、乗客を乗せる踏板１８と、踏板１８の周部の少なくとも一部に設けられた透明な注意体１９と、踏板１８の下段側端部に設けられたライザ２０とを有している。注意体１９は、透明な蛍光液体２９を着色体として収容可能な容器２７と、容器２７の開口を塞ぐ蓋２８とを有している。注意体１９の色は、容器２７内の蛍光液体２９の色を変更することにより変更される。【選択図】図５
2010132428.tif 000002
【特許請求の範囲】
【請求項１】
主枠、及び
乗客を乗せる踏板と、上記踏板の周部の少なくとも一部に設けられた透明な注意体とを有し、上記主枠に支持され、循環移動される複数の踏段
を備え、
上記注意体は、着色体を収容可能な容器と、上記容器の開口を塞ぐ蓋とを有していることを特徴とする乗客コンベヤ。
【請求項２】
主枠、及び
乗客を乗せる踏板と、上記踏板の周部の少なくとも一部に設けられた透明な注意体とを有し、上記主枠に支持され、循環移動される複数の踏段
を備え、
上記注意体は、互いに重ねられた複数枚の着色板を有していることを特徴とする乗客コンベヤ。
【請求項３】
上記着色体は、液体であることを特徴とする請求項１に記載の乗客コンベヤ。
【請求項４】
各上記踏段の移動経路の往路側へ上記主枠内から光を照射する投光器をさらに備えていることを特徴とする請求項１乃至請求項３の何れかに記載の乗客コンベヤ。
【発明の詳細な説明】
【技術分野】
【０００１】
この発明は、例えばエスカレータや動く歩道等、循環移動される複数の踏段を有する乗客コンベヤに関するものである。
【背景技術】
【０００２】
従来、各踏段の境界を目立たせるために、透明な材料で構成された注意体を踏段の周囲に設け、踏段の下方にランプを配置した乗客コンベヤが提案されている。注意体の色やランプの発光色は、注意体やランプを交換することにより変更可能になっている（例えば、特許文献１参照）。
【０００３】
また、従来、各踏段の境界を目立たせるために、蛍光顔料を含む樹脂により構成された注意帯を各踏段の踏み面の周囲に設けた乗客コンベヤも提案されている（例えば、特許文献２参照）
【０００４】
【特許文献１】特開昭５８−１３５０８７号公報
【特許文献２】特開２００５−２１２９７６号公報
【発明の開示】
【発明が解決しようとする課題】
【０００５】
しかし、特許文献１に示された乗客コンベヤでは、注意体の色やランプの発光色を変更するために、注意体や主枠内のランプを交換する必要がある。従って、注意体やランプの交換に手間がかかってしまう。また、異なる色の注意体や異なる発光色のランプを準備する必要があり、コストの低減を図ることもできない。
【０００６】
また、特許文献２に示された乗客コンベヤでも、各踏段に設けられた注意帯を交換する必要があり、注意帯の交換作業に手間がかかってしまう。また、異なる色の注意帯を準備する必要があり、コストの低減を図ることもできない。
【０００７】
この発明は、上記のような問題点を解決することを課題としてなされたものであり、踏段の注意体の色を容易に変更することができるとともに、コストの低減を図ることができる乗客コンベヤを得ることを目的とする。
【課題を解決するための手段】
【０００８】
この発明に係る乗客コンベヤは、主枠、及び乗客を乗せる踏板と、踏板の周部の少なくとも一部に設けられた透明な注意体とを有し、主枠に支持され、循環移動される複数の踏段を備え、注意体は、透明な着色体を収容可能な容器と、容器の開口を塞ぐ蓋とを有している。
【発明の効果】
【０００９】
この発明に係る乗客コンベヤでは、注意体が、透明な着色体を収容可能な容器と、容器の開口を塞ぐ蓋とを有しているので、注意体の色を踏板と異なる色とすることができ、注意体を目立たせることができる。また、容器内の着色体を入れ換えるだけで、注意体の色を容易に変更することができる。さらに、注意体の色の変更のために注意体自体を交換する必要がないので、コストの低減化を図ることができる。
【発明を実施するための最良の形態】
【００１０】
以下、この発明の好適な実施の形態について図面を参照して説明する。
実施の形態１．
図１は、この発明の実施の形態１によるエスカレータを示す側面図である。図において、主枠１の長手方向の一端部（上端部）には、エスカレータの運転を制御する制御装置（図示せず）と、制御装置により制御される駆動装置２と、駆動装置２の駆動力によりそれぞれ回転される駆動スプロケット３及び上部踏段スプロケット４とが設けられている。主枠１の長手方向の他端部（下端部）には、下部踏段スプロケット５が設けられている。
【００１１】
駆動スプロケット３には、駆動チェーン６が巻き掛けられている。駆動装置２の駆動力は、駆動チェーン６を介して駆動スプロケット３に伝達される。駆動スプロケット３及び上部踏段スプロケット４は、駆動スプロケット３が駆動装置２からの駆動力を受けることにより一体に回転される。
【００１２】
主枠１には、踏段チェーン７により無端状に連結された複数の踏段８が支持されている。踏段チェーン７は、上部踏段スプロケット４及び下部踏段スプロケット５間に巻き掛けられている。各踏段８は、上部踏段スプロケット４の回転により、主枠１の長手方向一端部と長手方向他端部との間で循環移動される。各踏段８の移動経路は、各踏段８が乗客を乗せながら移動可能な往路側の経路と、往路側の下方に位置する帰路側の経路とが互いに連続する無端状の経路となっている。
【００１３】
主枠１上には、主枠１の幅方向について対向する一対の欄干９が設けられている。各欄干９の外周には、無端状の移動手摺１０がそれぞれ設けられている。主枠１内には、各踏段８と同期して移動手摺１０を移動させる手摺駆動装置（図示せず）が設けられている。
【００１４】
主枠１内には、各踏段８の移動経路の往路側へ光を照射する複数の照明器具（投光器）１１が設けられている。各照明器具１１は、各踏段８の移動経路の往路側と帰路側との間の空間に配置されている。従って、各照明器具１１からの光は、上方へ照射される。各照明器具１１は、主枠１の長手方向について間隔を置いて配置されている。
【００１５】
なお、主枠１の下部には、主枠１内に配置された機器からのオイル等を受けるオイルパン１２が設けられている。
【００１６】
図２は、図１の踏段８を示す一部破断正面図である。往路側の踏段８と欄干９との間には、踏段８の側面と所定の隙間を介して対向する板状のスカートガード１３と、スカートガード１３と欄干９との間の空間を塞ぐインナデッキ１４とが設けられている。
【００１７】
主枠１内には、各踏段８の移動を案内する一対の踏段案内レール１５が固定されている。各踏段８は、踏段本体１６と、踏段本体１６に設けられ、各踏段案内レール１５に載せられる一対の踏段ローラ１７とを有している。各踏段８が移動されるときには、踏段ローラ１７が踏段案内レール１５上を転動される。
【００１８】
踏段本体１６は、乗客を乗せる踏板１８と、踏板１８の周部の少なくとも一部に設けられた透明な注意体１９と、踏板１８の下段側端部に設けられたライザ（蹴上げ）２０とを有している。互いに隣接する踏段８の各踏板１８間の空間は、ライザ２０によって塞がれる。踏板１８の上面（踏み面）及びライザ２０の表面には、踏段８の移動方向に沿った鉛直平面に平行な複数のクリート（溝）２１が設けられている。
【００１９】
図３は、図２の踏段８を示す上面図である。なお、図３には、注意体１９が取り外されているときの踏段８が示されている。図において、踏板１８には、注意体１９を踏板１８の周部に取り付けるための金属製（例えばアルミニウム製等）の取付部材２２が固定されている。取付部材２２は、踏板１８の下段側端部を除く踏板１８の周部に固定されている。即ち、取付部材２２は、踏板１８の周部のうち、踏板１８の幅方向両端部及び上段側端部にのみ固定されている。
【００２０】
取付部材２２は、踏板１８の周部から離して配置された枠部２３と、枠部２３を踏板１８の周囲に保持する複数の保持アーム２４とを有している。
【００２１】
枠部２３は、踏板１８の幅方向両端部及び上段側端部のそれぞれに沿って配置されている。各保持アーム２４は、踏板１８の周部に沿って互いに間隔を置いて配置されている。従って、踏板１８の周部には、枠部２３、保持アーム２４及び踏板１８によって囲まれた開口部２５が設けられている。
【００２２】
注意体１９は、取付部材２２上に載せられた状態で踏板１８の周部に配置される。従って、踏段８が往路側を移動するときには、照明器具１１からの光が開口部２５を通って注意体１９に照射される。この例では、踏板１８の幅方向両端部及び上段側端部のそれぞれに沿った３本（複数）の注意体１９が踏板１８の周部に個別に配置される。
【００２３】
図４は、図３のIV部を示す拡大図である。図において、各保持アーム２４には、ねじ穴２６が設けられている。ねじ穴２６には、注意体１９を取付部材２２に留めるための留めねじ（図示せず）が螺合される。この例では、すべての保持アーム２４にねじ穴２６が設けられている。
【００２４】
図５は、図２のV部を示す拡大図である。図において、注意体１９は、上部が開口された容器２７と、容器２７の開口を塞ぐ蓋２８とを有している。容器２７及び蓋２８は、透明な材料（例えば樹脂等）により構成されている。容器２７内には、透明な蛍光液体（着色体）２９が収容されている。蓋２８の上面には、クリート２１と平行な複数のクリート（溝）３０が設けられている。注意体１９が照明器具１１からの光に照らされることにより、注意体１９と踏板１８との区別がより明確になる。
【００２５】
図６は、図５の注意体１９を示す斜視図である。また、図７は図６の容器２７を示す斜視図、図８は図６の蓋２８を示す斜視図である。容器２７内には、容器２７の底部から突出する突出部３１が設けられている。突出部３１には、容器２７を貫通する容器貫通穴３２が設けられている。これにより、容器２７内の蛍光液体２９が容器２７外へ漏出することが防止される。
【００２６】
蓋２８の容器貫通穴３２に対応する位置には、蓋２８を貫通する蓋貫通穴３３が設けられている。留めねじは、容器２７の開口が蓋２８により塞がれた状態（図６）で蓋貫通穴３３及び容器貫通穴３２の順に通される。ねじ穴２６には、蓋貫通穴３３及び容器貫通穴３２に通された留めねじが螺合される。注意体１９は、留めねじと保持アーム２４との間で締め付けられることにより取付部材２２に取り付けられる。
【００２７】
次に、注意体１９の取り付け手順について説明する。まず、蓋２８を容器２７から外して容器２７の開口から蛍光液体２９を注ぎ入れる。この後、蓋貫通穴３３の位置を容器貫通穴３２の位置に合わせて容器２７の開口を蓋２８で塞ぐ。
【００２８】
この後、注意体１９を取付部材２２上に置いて、蓋貫通穴３３及び容器貫通穴３２の順に留めねじを通す。この後、留めねじをねじ穴２６に螺合し締め付ける。これにより、注意体１９の取付部材２２に対する取り付け作業が完了する。
【００２９】
次に、注意体１９の色を変更するときの手順について説明する。注意体１９の色を変更するときには、まず留めねじを外して注意体１９を取付部材２２から取り外す。この後、蓋２８を容器２７から外し、変更前の色の蛍光液体２９を容器２７内から排出する。この後、変更後の色の蛍光液体２９を容器２７内に注ぎ入れ、容器２７の開口を蓋２８で塞ぐ。
【００３０】
この後、注意体１９を取付部材２２上に置いて、蓋貫通穴３３及び容器貫通穴３２の順に通した留めねじで注意体１９を締め付ける。これにより、注意体１９の色を変更する作業が完了する。
【００３１】
このようなエスカレータでは、注意体１９が、透明な蛍光液体２９を収容可能な容器２７と、容器２７の開口を塞ぐ蓋２８とを有しているので、注意体１９の色を踏板１８と異なる色とすることができ、注意体１９を目立たせることができる。また、容器２７内の蛍光液体２９を入れ換えるだけで、注意体１９の色を容易に変更することができる。さらに、注意体１９の色の変更のために注意体１９自体を交換する必要がないので、コストの低減化を図ることができる。
【００３２】
また、容器２７内には、蛍光液体２９が着色体として収容されるので、容器２７内に蛍光液体２９を容易に行き渡らせることができ、注意体１９全体の色を容易に均一にすることができる。
【００３３】
また、主枠１内に設けられた照明器具１１からの光が踏段８の移動経路の往路側へ照射されるので、注意体１９が照明器具１１からの光によって照らされ、注意体１９をさらに目立たせることができる。
【００３４】
なお、上記の例では、容器２７内に蛍光液体２９が着色体として収容されているが、例えば着色された透明のフィルムや板等を着色体として容器２７内に収容してもよい。
【００３５】
実施の形態２．
図９は、この発明の実施の形態２によるエスカレータの踏段８を示す要部断面図である。図において、注意体１９は、互いに重ねられた複数枚（この例では、５枚）の着色板４１と、各着色板４１をまとめて押さえる蓋４２とを有している。各着色板４１及び蓋４２は、透明な材料（例えばアクリル樹脂等）により構成されている。注意体１９は、取付部材２２上に載せられた状態で踏板１８の周部に配置される。
【００３６】
各着色板４１の色は、互いに異なっている。注意体１９の色は、各着色板４１の色の組み合わせの変更により変更可能になっている。従って、例えば、三原色（赤、黄、青）及び無色の４種類の着色板４１を組み合わせることにより、多数の色の注意体１９を自由に作成することができる。蓋４２の上面には、クリート２１と平行な複数のクリート（溝）３０が設けられている。
【００３７】
図１０は、図９の注意体１９を示す斜視図である。また、図１１は、図１０の着色板４１を示す斜視図である。図において、各着色板４１には、着色板４１を貫通する板貫通穴４３が設けられている。蓋４２の板貫通穴４３に対応する位置には、蓋４２を貫通する蓋貫通穴３３が設けられている。留めねじは、蓋貫通穴３３及び各板貫通穴４３の順に通される。ねじ穴２６には、蓋貫通穴３３及び各板貫通穴４３に通された留めねじが螺合される。注意体１９は、留めねじと保持アーム２４との間で締め付けられることにより取付部材２２に取り付けられる。他の構成は実施の形態１と同様である。
【００３８】
次に、注意体１９の取り付け手順について説明する。まず、各着色板４１の色の組み合わせを調整しながら各着色板４１を重ね、着色板４１の積層体を上方からみたときの積層体の色を所望の色に調整する。この後、着色板４１の積層体上に蓋４２を載せ、注意体１９とする。
【００３９】
この後、注意体１９を取付部材２２上に置いて、蓋貫通穴３３及び各板貫通穴４３の順に留めねじを通す。この後、留めねじをねじ穴２６に螺合し締め付ける。これにより、注意体１９の取付部材２２に対する取り付け作業が完了する。
【００４０】
次に、注意体１９の色を変更するときの手順について説明する。注意体１９の色を変更するときには、まず留めねじを外して注意体１９を取付部材２２から取り外す。この後、各着色板４１の色の組み合わせを変更して各着色板４１を重ね直し、着色板４１の積層体の色を変更する。この後、重ね直した後の着色板４１の積層体上に蓋４２を載せ、色の変更後の注意体１９とする。
【００４１】
この後、注意体１９を取付部材２２上に置いて、蓋貫通穴３３及び各板貫通穴４３の順に通した留めねじで注意体１９を締め付ける。これにより、注意体１９の色を変更する作業が完了する。
【００４２】
このようなエスカレータでは、注意体１９が、互いに重ねられた複数枚の透明な着色板４１を有しているので、各着色板４１の色の組み合わせを調整することにより、注意体１９の色を踏板１８と異なる色とすることができ、注意体１９を目立たせることができる。また、各着色板４１の色の組み合わせを変えるだけで、注意体１９の色を容易に変更することができる。さらに、注意体１９の色の変更のために注意体１９全体を交換する必要がないので、コストの低減化を図ることができる。
【００４３】
なお、上記の例では、着色板４１の数が５枚となっているが、これに限定されず、複数枚の着色板４１であればよい。また、蓋４２は、無色であってもよいし着色されていてもよい。
【００４４】
また、各上記実施の形態では、踏段８の移動経路の往路側に照明器具１１からの光が照射されるようになっているが、注意体１９の色が踏板１８の色と明確に区別されるのであれば、照明器具１１はなくてもよい。
【００４５】
また、各上記実施の形態では、注意体１９が踏板１８の下段側端部には配置されていないが、踏板１８の下段側端部に注意体１９を配置してもよい。この場合、踏板１８の下段側端部にも取付部材２２が固定される。
【００４６】
なお、各上記実施の形態では、この発明がエスカレータに適用されているが、動く歩道にこの発明を適用してもよい。
【図面の簡単な説明】
【００４７】
【図１】この発明の実施の形態１によるエスカレータを示す側面図である。
【図２】図１の踏段を示す一部破断正面図である。
【図３】図２の踏段を示す上面図である。
【図４】図３のIV部を示す拡大図である。
【図５】図２のV部を示す拡大図である。
【図６】図５の注意体を示す斜視図である。
【図７】図６の容器を示す斜視図である。
【図８】図６の蓋を示す斜視図である。
【図９】この発明の実施の形態２によるエスカレータの踏段を示す要部断面図である。
【図１０】図９の注意体を示す斜視図である。
【図１１】図１０の着色板を示す斜視図である。
【符号の説明】
【００４８】
１  主枠、８  踏段、１１  照明器具（投光器）、１８  踏板、１９  注意体、２７  容器、２８  蓋、２９  蛍光液体（着色体）、４１  着色板。
【図１】
2010132428.tif 000003
【図２】
2010132428.tif 000004
【図３】
2010132428.tif 000005
【図４】
2010132428.tif 000006
【図５】
2010132428.tif 000007
【図６】
2010132428.tif 000008
【図７】
2010132428.tif 000009
【図８】
2010132428.tif 000010
【図９】
2010132428.tif 000011
【図１０】
2010132428.tif 000012
【図１１】
2010132428.tif 000013